(57)【要約】【課題】  具が入ったり添加物が入った炊き込みご飯等の炊飯でも早切れ等の炊飯トラブルを発生することなく良好な炊飯ができる業務用炊飯器を提供する。【解決手段】  炊飯中の釜底２の温度を温度センサ３により検知し、その検知温度が炊飯中における釜底２の理想温度上昇曲線と所定範囲内で合致しているかを比較回路８で比較し、合致している場合には上記検出温度をベースに電力制御回路７により加熱制御を行い、炊飯を継続するとともに、釜底２の検知温度が上記比較回路８の理想温度上昇曲線と所定範囲温度に合致しない場合には釜底２の検知温度を無視して演算回路６からあらかじめ入力済みの加熱制御を強制的に行うように電力制御回路７に入力し、加熱ヒータ４の加熱制御を行う。【選択図】  図１
2005143710.tif 000002
【特許請求の範囲】
【請求項１】
炊飯中の釜底（２）の温度を温度センサ（３）により検知し、その検知温度が炊飯中における釜底（２）の理想温度上昇曲線と所定範囲内で合致しているかを比較回路（８）で比較し、合致している場合には上記検出温度をベースに電力制御回路（７）により加熱制御を行い、炊飯を継続するとともに、釜底（２）の検知温度が上記比較回路（８）の理想温度上昇曲線と所定範囲温度に合致しない場合には釜底（２）の検知温度を無視して演算回路（６）からあらかじめ入力済みの加熱制御を強制的に行うように電力制御回路（７）に入力し、加熱ヒータ（４）の加熱制御を行うことを特徴とする炊飯器。
【発明の詳細な説明】
【技術分野】
【０００１】
本発明は、業務用厨房等で使用される炊飯器に関し、特にはその加熱制御方法に関するものである。
【背景技術】
【０００２】
従来のこの種の炊飯器は、内釜の外側底面に加熱ヒータを設けて、この加熱ヒータにより内釜の底面を高出力で加熱し、炊飯を行うものである。
【０００３】
そして、その加熱制御は、特許文献１に示すように加熱中に釜底の温度を検知して単位時間内の温度上昇値（以下、温度の傾きと称す）から炊飯量の判定を行うとともに、その釜底の温度が炊飯中における釜底の理想温度上昇曲線のどの位置に達しているかを判定し、その判定結果に基づいて加熱ヒータの加熱制御を行っていた。
【０００４】
ここで使用されている釜底の理想温度曲線は、白米で、かつ、洗米の状態が良好な米を用いた場合の炊飯における温度変化が使われているのが一般的である。
【０００５】
大容量の業務用炊飯器は、給食センタ、コンビニのセンターキッチン、スーパーマーケットのバックヤード、ホテルの厨房、飲食店等で使用されている。
【０００６】
炊飯も洗米が十分に行われたもので白米炊飯であれば問題はないが、近年はコンビニ等のご飯物にはいろいろな具が入ったものがあり、この具が入った物には、砂糖、塩、醤油、油等の添加物が含まれている。そして、これらの添加物が含まれていると沸騰時に発生する気泡の形状が添加物を含まない時と異なるため、釜底の温度も異なってくる。
【０００７】
また、近年は洗米による汚水（とぎ水）を排出させないために無洗米を使用する給食センタ等も多くなっている。この無洗米も水洗された米と比べると米糠分が多くなっている。糠分には油質が含まれているため、添加物の油が入った時と同様の状態となり、沸騰時に発生する気泡の形状が添加物を含まない時と異なるため、釜底の温度も異なる。
【０００８】
沸騰時の状態を図３で説明すると、以下の通りである。洗米された白米で添加物等を含まない場合は、図３の左側の状態となる。
【０００９】
この状態では、釜底２に発生した気泡１０が大きなものに成長しないうちに釜底２から離れて上昇する。従って、釜底２には新たな湯が流れ込み、ここで受熱して沸騰し、小さな気泡１０を作り、これが上昇する。
【００１０】
このようにいつも小さな気泡１０が連続的に作られて整然と沸騰が続いているために内釜１の底面温度は安定した温度で推移する。この時の釜底２の温度状態は図４Ｂの範囲の太線で示す温度（Ｔ1）となり、百数度となる。
【００１１】
次に、洗米された白米に糖分や油等の添加物が含まれている場合、または炊き込みご飯等で具が入ったり、添加物等が入った時の状態は図３の右側の沸騰状態となる。
【００１２】
前記添加物が含まれたことによって湯の粘度、比重、沸点、表面張力、浮力等が添加物を含まない物と比べて微妙に異なってくる。そして、表面張力や浮力が小さくなると、釜底２で沸騰により気泡１０が発生しても、その気泡１０の径が小さいときは釜底２から離れ難くなり、釜底２に長い時間付いていることによって受熱して大きくなり、気泡１１に成長してから釜底２から離れる。
【００１３】
このように、気泡１０が大きくなって気泡１１に成長するまでこの気泡１１と接している釜底２は、加熱蒸気と接触していることになり、温度も上昇する。
【００１４】
そして、気泡１０が気泡１１のように大きくなってようやく釜底２から離れると、気泡１１の大きさにばらつきが生じるとともに、釜底２の温度にもばらつきが生じる。このように、釜底２の温度にばらつきが生じることは、釜底２の温度を検知して加熱制御を行っている炊飯器にとって致命傷になってしまう問題である。
【００１５】
この発生する気泡１１のばらつきによる釜底２の温度の状態を示したのが図４Ｂの範囲に示された高温の突出部１２および１３である。
【００１６】
気泡１０が発生して釜底２から離れないと気泡１１のように大きく成長し、この間、気泡１１と接している釜底２は蒸気と接するため温度が急激に上昇する。そして、気泡１１がある程度成長すると釜底２から離れるためお湯と入れ替わり細かい気泡１０が発生している状態の温度（太線の温度）に戻る。
【００１７】
次に、また発生した気泡１０が釜底２から離れずに大きくなると気泡１１に成長し、前記と同様に釜底２の温度が上昇する結果となる。この状態が温度センサ３が接触している釜底２の近傍で発生すると、この釜底２の異常温度をベースに温度検知回路５、演算回路６を通して電力制御回路７により加熱ヒータ４の加熱制御が行われてしまうため、図４に示す炊飯途中のＢ範囲にも関わらずＣ範囲の温度上昇と判断して炊飯の完了判断をしてしまう誤動作を生じる。これが炊飯の早切れ状態であり、良好な炊飯が出来ない結果となる。
【００１８】
【特許文献１】特開平１０−２１１０８９号公報
【発明の開示】
【発明が解決しようとする課題】
【００１９】
上記したように従来の業務用炊飯器においては、炊き込みご飯等、白米に具や添加物を入れた炊飯を行った場合に、釜底の温度にばらつきが生じて早切れ等を起し、良好な炊飯ができない欠点があった。
【００２０】
本発明は、上記の課題を解決する業務用炊飯器を提供するものである。
【課題を解決するための手段】
【００２１】
本発明の請求項１では、炊飯中の釜底の温度を温度センサにより検知し、その検知温度が炊飯中における釜底の理想温度上昇曲線と所定範囲内で合致しているかを比較回路で比較し、合致している場合には上記検出温度をベースに電力制御回路により加熱制御を行い、炊飯を継続するとともに、釜底の検知温度が上記比較回路の理想温度上昇曲線と所定範囲温度に合致しない場合には釜底の検知温度を無視して演算回路からあらかじめ入力済みの加熱制御を強制的に行うように電力制御回路に入力し、加熱ヒータの加熱制御を行うものである。
【発明の効果】
【００２２】
上記本発明によれば、白米以外の炊飯、すなわち、具が入ったり添加物が入った炊き込みご飯等の炊飯でも早切れ等の炊飯トラブルを発生することがなくなり、良好な炊飯ができる業務用炊飯器を提供することができるものである。
【発明を実施するための最良の形態】
【００２３】
本発明の実施例を図１および図２を用いて説明する。
【００２４】
まず、図１において、１は大容量炊飯に適した業務用炊飯器の内釜、２はその釜底である。３は温度センサで、釜底２の外側中心部に密着するように配置されている。４は加熱ヒータで、抵抗ヒータや誘導加熱コイルからなり、温度センサ３に熱的影響を与えないように釜底２の外側底面に密着するように配置されている。５は温度検知回路で、温度センサ３と電気的に接続されており、温度センサ３の検知温度の情報を入力する。
【００２５】
６は演算回路で、後記比較回路８で温度検知回路５からの温度情報のデータと釜底２における炊飯の理想温度曲線のデータを比較し、両者のデータが合致しない場合に温度検知回路５からの温度情報のデータを無視して炊飯の理想温度曲線のデータに沿って加熱ヒータ４を加熱制御するように、そのデータを後記電力制御回路７に送るものである。
【００２６】
７は電力制御回路で、前記したように演算回路６からのデータを基にヒータ４を加熱制御するところである。
【００２７】
８は比較回路で、温度検知回路５と演算回路６に接続されており、釜底２における炊飯の理想温度曲線のデータを予め入力してあり、温度検知回路５からの温度情報のデータと炊飯の理想温度曲線のデータを比較して演算回路６に送るところである。
【００２８】
９は電力制御回路７に電力を供給する電源である。
【００２９】
上記の業務用炊飯器においては、炊飯容量６ｋｇ炊飯器が多く用いられ、その中で３〜６ｋｇの炊飯が多く行われている。この炊飯器は、家庭用と異なり３ｋｇ、４ｋｇ、５ｋｇ、６ｋｇの中の炊飯である。従って図２に示す炊飯の理想温度曲線も１ｋｇ単位の温度曲線を比較回路８のデータとして予め投入しておく。
【００３０】
次に、白米炊飯の例を説明する。
【００３１】
内釜１に洗米した米と水を入れ、加熱ヒータ４に通電して加熱を開始する。
【００３２】
釜底２の温度は温度センサ３が検知し、そのデータが温度検知回路５、演算回路６、電力制御回路７へと送られる。釜底２の温度が低い時点（図２のＡ範囲）ではフルパワーの出力で加熱ヒータ４の電力が供給され加熱される。加熱され続けると温度上昇し、内釜１内で沸騰が始まる。沸騰すると内釜1内は約１００℃となり釜底２の温度も略一定となる。（図２Ｂ範囲のＴ１温度）
内釜１内で沸騰が続き、水量が減少すると、Ｃ範囲に入り、釜底２の温度は上昇する。この温度上昇を温度センサ３が検知し、Ｔ１温度到達以降に釜底２の温度が上昇し、この温度上昇が所定の時間経過しても２回とも上昇している事が検知されると釜底２の温度がＣ範囲にあると判断して火力を絞り、Ｔ２温度を維持するよう火力制御を短時間継続するＤ範囲）。
【００３３】
Ｄ範囲の時間継続後は通電が停止されることによって温度が低下する。
【００３４】
その後、Ｔ１温度より低いＴ３温度を所定時間保つ蒸らし工程が行われ炊飯工程が終了する。
【００３５】
次に、内釜２内に洗米された米、水、具、添加物等が投入された炊き込みご飯の炊飯例を説明する。
【００３６】
内釜１に洗米した米、水、具、添加物を入れ、加熱ヒータ４に通電して加熱を開始する。この時、予め炊飯量の理想温度曲線のデータを比較回路８に入力しておく。
【００３７】
釜底２の温度は温度センサ３が検知し、そのデータが温度検知回路５に送られ、さらに演算回路６、電力制御回路７へと送られる。釜底２の温度が低い時点（図２のＡ範囲）ではフルパワーの出力で加熱ヒータ４に電力が供給され加熱される。釜底２が加熱され続けると温度上昇し、内釜１内で沸騰が始まる。白米の場合はＴ1温度一定となるが添加物等が入っているため沸騰状態が異なり、沸騰の気泡１０が大きく成長して気泡１１に成長することによって前述の通り釜底２の温度に高温の突出部１２および１３が生じる。
【００３８】
そこで、この高温になったことを温度センサ３が検知し、そのデータが温度検知回路５を通して比較回路８に送られる。ここで炊飯開始時に投入した炊飯量のデータから炊飯理想曲線と比較され、測定された温度が炊飯理想曲線データと懸け離れ、その許容値の範囲を超えた場合は釜底２で異常沸騰が起こっていると判断して温度センサ３の測温データを無視して予め投入されている炊飯量による加熱制御の命令を演算回路６から電力制御回路７に送り、Ｄ範囲の終了までの制御を強制的に行う。その後の蒸らし工程は温度センサ３の検知温度に従って制御を行い、炊飯工程を終了する。
【００３９】
一方、炊飯中の釜底２の温度を検知し、その検知温度が炊飯中における釜底２の理想温度上昇曲線と所定範囲内で合致している場合は、検出温度をベースに加熱制御（温度制御）を行い、炊飯を継続する。
【００４０】
これによって、白米以外の炊飯、すなわち具が入ったり添加物が入った炊き込みご飯等の炊飯でも早切れ等の炊飯トラブルを発生することなくなり、良好な炊飯ができるものである。
【図面の簡単な説明】
【００４１】
【図１】本発明の業務用炊飯器の一実施例を示すブロック図である。
【図２】同炊飯加熱動作説明図である。
【図３】従来の業務用炊飯器のブロック図である。
【図４】同炊飯加熱動作説明図である。
【符号の説明】
【００４２】
１    内釜
２    釜底
３    温度センサ
４    加熱ヒータ
５    温度検知回路
６    演算回路
７    電力制御回路
８    比較回路
【図１】
2005143710.tif 000003
【図２】
2005143710.tif 000004
【図３】
2005143710.tif 000005
【図４】
2005143710.tif 000006